(57)【要約】【課題】光チューナブルフィルタを使用して波長分割多重（ＷＤＭ）信号から所望の信号光を抽出するときに、所望のものとは異なる信号が誤抽出されないように光チューナブルフィルタを制御する手法を提供する。【解決手段】波長安定化フィルタ５３は、波長帯域において連続している第一集合帯域と該第一集合帯域よりも波長の長い波長帯域であって連続している第二集合帯域との間の波長において透過特性の山の頂点を有し、且つ、該山の頂点から該第一集合帯域よりも短波長側へ向けて及び該山の頂点から該第二集合帯域よりも長波長側へ向けて各々直線状に透過特性が低下する透過波長特性を有する。制御部５５は、波長安定化フィルタ５３を透過した透過光に基づいて、入力されるＷＤＭ信号から所定の波長の信号光を光チューナブルフィルタ５１に抽出させるための制御信号を生成する。【選択図】      図２
2004260747.tif 000002
【特許請求の範囲】
【請求項１】
波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の山の頂点を有し、且つ、該山の頂点から該第一集合帯域よりも短波長側へ向けて及び該山の頂点から該第二集合帯域よりも長波長側へ向けて各々直線状に透過特性が低下する透過波長特性を有する該光透過フィルタと、
前記光透過フィルタを透過した透過光に基づいて、所定の波長の信号光を前記光チューナブルフィルタに抽出させるための前記制御信号を生成する制御信号生成手段と、
を有することを特徴とする光伝送装置。
【請求項２】
前記光透過フィルタを透過した透過光の光の強度を検出する第一光強度検出手段と、
前記光透過フィルタの透過波長特性を示す情報が格納されている格納手段と、を更に有し、
前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成する、
ことを特徴とする請求項１に記載の光伝送装置。
【請求項３】
前記光透過フィルタを透過した透過光の光の強度を検出する第一光強度検出手段と、
前記光透過フィルタへの信号光の入力に応じて該光透過フィルタから取り出される反射光であって、前記光透過フィルタを透過した透過光に与えられる透過波長特性とは逆の特性である反射特性が与えられている該反射光の光の強度を検出する第三光強度検出手段と、
を更に有し、
前記制御信号生成手段は、前記第一光強度検出手段と前記第三光強度検出手段との各々で検出された光の強度に基づいて前記制御信号を生成する、
ことを特徴とする請求項１に記載の光伝送装置。
【請求項４】
波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域と該第一集合帯域よりも波長の長い波長帯域であって連続している第二集合帯域との範囲に渡って透過特性が単調な変化を呈している透過波長特性を有する該光透過フィルタと、
前記光透過フィルタを透過した透過光に基づいて、所定の波長の信号光を前記光チューナブルフィルタに抽出させるための前記制御信号を生成する制御信号生成手段と、
を有することを特徴とする光伝送装置。
【請求項５】
波長分割多重（ＷＤＭ）方式で多重化されている信号光であって、波長帯域において連続している第一集合帯域、該第一集合帯域よりも波長の長い波長帯域であって連続している第二集合帯域、及び該第一集合帯域よりも波長の短い波長帯域であって連続している第三集合帯域を使用して多重化されている該信号光から特定の波長の信号光を透過して抽出し、制御信号に応じて透過波長特性が変化する光チューナブルフィルタと、
前記光チューナブルフィルタによって抽出された信号光の検出を行う検出手段と、
前記光チューナブルフィルタによって抽出された信号光のうち該光チューナブルフィルタに入力された信号光に常に含まれており、一方は前記第一集合帯域と前記第二集合帯域との間の波長であり、他方は該第一集合帯域と前記第三集合帯域との間の波長であることが判明している２つの基準信号光の検出を行う基準信号光検出手段と、
前記光チューナブルフィルタに抽出させる信号光の波長が前記第二集合帯域に含まれるものであるときには、前記基準信号光検出手段による検出の結果のうち前記第一集合帯域と該第二集合帯域との間の波長であることが判明している基準信号光についての該結果と前記検出手段による前記信号光の検出の結果とに基づいて前記制御信号を生成し、該光チューナブルフィルタに抽出させる信号光の波長が前記第三集合帯域に含まれるものであるときには、該基準信号光検出手段による検出の結果のうち該第一集合帯域と該第三集合帯域との間の波長であることが判明している基準信号光についての該結果と該検出手段による該信号光の検出の結果とに基づいて該制御信号を生成する制御信号生成手段と、
を有することを特徴とする光伝送装置。
【発明の詳細な説明】
【０００１】
【発明の属する技術分野】
本発明は、波長分割多重（ＷＤＭ：Ｗａｖｅｌｅｎｇｔｈ  Ｄｉｖｉｓｉｏｎ  Ｍｕｌｔｉｐｌｅｘｉｎｇ）方式による光通信技術に関し、特に、ＷＤＭ方式により多重化された複数の波長の信号光から所望の波長の信号光を抽出するために使用される光チューナブルフィルタを制御する技術に関する。
【０００２】
【従来の技術】
インターネットトラフィックを中心とするデータ通信需要の爆発的な増大に伴い、バックボーンネットワークの大容量化、超長距離化が求められている。また、ユーザの利用するサービスも多種多様となることから高信頼で柔軟性に富み、経済的なネットワークも同時に実現することが求められている。
【０００３】
波長分割多重（ＷＤＭ）伝送技術と光増幅技術の進歩により、伝送容量の大容量化や伝送距離の超長距離化が近年飛躍的に進み、伝送路コストの低減をもたらしている。しかし、信号の高速化・大容量化に追従させてネットワークノードの情報処理能力を増大させるために、従来の光電気変換や電気スイッチ方式を採用していたのでは、ノードコストやノード装置規模の増大をもたらしてしまう。このような背景から、光通信システムにおけるノードの低コスト化や小型化のため、大規模な電子回路を光部品に置き換えて光波長領域の光パスの単位で様々な処理を行う装置である、光分岐挿入装置（ＯＡＤＭ：Ｏｐｔｉｃａｌ  Ａｄｄ  Ｄｒｏｐ  Ｍｕｌｔｉｐｌｅｘｅｒ）や光クロスコネクト（ＯＸＣ：Ｏｐｔｉｃａｌ  ｃｒｏｓｓ  Ｃｏｎｎｅｃｔ  ）装置などの光伝送装置の開発が期待されている。
【０００４】
これらの装置の中では、信号光をオン／オフする、信号光を減衰させる、信号光の１×ｎの切り換えを行う等の機能を持つ光スイッチや、波長毎に信号光を振り分ける波長フィルタ等の多くの光機能デバイスが用いられる。
【０００５】
これらの光機能デバイスの中で、ＷＤＭ信号の中から所望の波長の信号光を選択処理できる光波長選択デバイス（本明細書においては、この光波長選択デバイスを光チューナブルフィルタと称することとする）は、ＯＡＤＭを実現する上で重要なキーデバイスである。このような光チューナブルフィルタのひとつとして、音響光学素子（ＡＯＴＦ：Ａｃｏｕｓｔｏ−Ｏｐｔｉｃ  Ｔｕｎａｂｌｅ  Ｆｉｌｔｅｒ）というデバイスがある。
【０００６】
ＯＡＤＭノードのネットワーク構成例を図２０に示し、ＡＯＴＦを用いたＯＡＤＭの構成例を図２１に示す。
図２０の例ではＡネットワーク１００１とＢネットワーク１００２とがＮｏｄｅ  １において重なりあっており、Ａネットワーク１００１のＮｏｄｅ  ｎから送られてくる、λ１  からλ６  までの６種類の波長からなるＷＤＭ信号光のうち、λ１  、λ４  、及びλ６  の３種類の信号光をＡネットワーク１００１からドロップさせてＢネットワーク１００２のＮｏｄｅ  ２へ送出し、λ２  、λ３  、及びλ５  の３種類の信号光を透過させてＡネットワーク１００１のＮｏｄｅ  ２へ送出する機能をＮｏｄｅ  １のＯＡＤＭに行わせていることを図２０は表している。
【０００７】
図２１に示したネットワークはリング構成のネットワークであり、実際に運用されている系（ｗｏｒｋ系：Ｗ系と表示）とＷ系の障害発生時に運用される予備系（Ｐｒｏｔｅｃｔｉｏｎ系：Ｐ系と表示）とが設けられている。このＷ系とＰ系との構成は同一であるので、ここではＷ系についてのみ説明する。また、図２１のＷ系には、ＯＡＤＭ１（Ｗ）、ＯＡＤＭ２（Ｗ）、及びＯＡＤＭ３（Ｗ）の３つのＯＡＤＭが設けられているが、これらはいずれも同一の構成を有しているので、ここではＯＡＤＭ１（Ｗ）のみについて説明する。なお、このＷ系及びＰ系のリングの途中に挿入されているＡＳＥサプレッションフィルタ２０００は、リング構成のネットワークに存在する各増幅器が発生させて累積されてしまう自然光雑音（白色雑音）を除去するためのフィルタである。
【０００８】
ＯＡＤＭ３（Ｗ）からＯＡＤＭ１（Ｗ）へ送られてきたＷＤＭの信号光は増幅器２００１によって所定の大きさにまで増幅された後に光カプラ（ＣＰＬ）２００２に入力される。ＣＰＬ２００２を通過した信号光はリジェクション型ＡＯＴＦ２００３に入力されるが、ＣＰＬ２００２によって分岐された一部の信号光は増幅器２００４に入力される。増幅器２００４によって増幅された信号光はＣＰＬ２００５によって複数の信号光に分配され、ドロップ型ＡＯＴＦ２００６に各々入力される。ドロップ型ＡＯＴＦ２００６はＷＤＭ信号光から所望の波長の信号光を選択して抽出する。抽出された信号光はＯＡＤＭ１（Ｗ）のドロップ出力とされる。
【０００９】
その後このＯＡＤＭ１（Ｗ）からの信号光はＷ系とＰ系との切り替え用の光スイッチ（ＯＳＷ）２１００を通過し、トランスポンダ２２００へ入力されて光信号の復調が行われる。
【００１０】
一方、このノードよりネットワークに送り込む信号（ＡＤＤ入力信号）は、まずチューナブルトランスポンダ２３００によって光変調されて所定の波長の信号光とされた後、ＯＳＷ２４００を経てＯＡＤＭ１（Ｗ）に入力される。この信号光は、ノードから送信する波長の異なる他の信号光とＣＰＬ２００７によって多重化される。ＣＰＬ２００７によって多重化された信号光は増幅器２００８によって所定の大きさに増幅された後にＣＰＬ２００９に入力され、ＯＡＤＭ３（Ｗ）からの信号光のうちリジェクション型ＡＯＴＦ２００３によってブロッキング（抑圧）されずに通過したものに挿入されて多重化される。ＣＰＬ２００９によって多重化された信号光は増幅器２０１０によって所定の大きさに増幅された後にＯＡＤＭ２（Ｗ）へ向けて送出される。
【００１１】
なお、リジェクション型ＡＯＴＦ２００３及びドロップ型ＡＯＴＦ２００６による信号光の波長選択特性は、図２１のネットワーク全体の運用状況の監視を行っている監視制御系３０００から与えられる情報に基づいて制御部（ＭＣ）２０１１によって制御される。
【００１２】
このように、ＯＡＤＭノードには、所望の波長の信号光をノードの通過光にＡＤＤ（挿入）する機能、所望の波長の信号光をノードの通過光からドロップ（抽出）する機能、そしてノードへ送られてきた信号光をブロッキング（抑制）する機能が必要になる。また、信号光を一括ドロップする機能が必要となる場合があるが、これは２つ以上のリング網あるいはネットワークが重なりあった部分のノードにおいて要求される機能で、一方のネットワークから他方のネットワークに複数波長の信号光を送り込むために用いられる機能である。また、一括ブロッキングの機能が必要となる場合があるが、これは、ノード内の通過光の中で終端させる必要がある波長の信号光や挿入される波長と衝突する複数の波長の信号光に対して必要となる機能である。
【００１３】
なお、ＡＯＴＦを用いたＯＡＤＭについては、例えば、特許文献１、特許文献２、特許文献３などに開示されている。
ところで、ＯＡＤＭノードでは、任意の波長の信号光に対して分岐や挿入が可能であることがネットワークの柔軟な運営の為に重要である。この場合、前述した一括処理も任意の波長の信号光に対して行う必要があり、この点において選択波長の可変機能があるＡＯＴＦのようなデバイスは有用である。選択波長の可変機能を用いて所望の波長の信号光を選択分離する場合、デバイスのフィルタリング特性の透過中心を所望の信号光の波長に完全に一致させる必要がある。この透過中心波長が信号光波長に一致しない場合には、例えばドロップ（抽出）処理では挿入損失の増大や他の波長の信号光を誤ってドロップしまう等の問題が生じてしまい、ＯＡＤＭ装置としては致命的となる。
【００１４】
一般的に、送信光源であるレーザダイオード（ＬＤ）によって発光させる光の波長は揺らぎを持っており、また、フィルタ特性を提供するデバイス自身にも経時変化、環境変化、制御誤差等で透過中心波長に揺らぎが生じる。従って、ＯＡＤＭ装置を安定動作させるためには波長ズレ誤差を検出してフィードバック制御を行うトラッキングが必須となる。このトラッキングは、ドロップ処理の場合においては、ドロップさせた信号光を分岐させてモニタ光とし、このモニタ光を検出してそのパワー値（強度）が最大になるように制御するというものであるが、通常は，モニタ光の受光パワーの大きさのみを比較しながら制御するという手法が最も経済的でかつ効率的である（例えば、特許文献４参照）。
【００１５】
【特許文献１】
特開平１１−２１８７９０号公報
【特許文献２】
特開平１１−２８９２９６号公報
【特許文献３】
特開２０００−２４１７８２号公報
【特許文献４】
特開平８−２８８９３２号公報
【００１６】
【発明が解決しようとする課題】
しかし、ＡＯＴＦは、わずか１℃の温度変化で選択波長が１００ＧＨｚもずれてしまうというような、周囲温度に対して敏感な選択波長の変動特性を有しているため、選択波長の設定のためにＡＯＴＦに印加すべきＲＦ（高周波）信号の最適周波数と選択波長との関係が１対１に対応せずに周囲温度の変動によって大きく変化してしまう。一例を挙げると、２５℃の周囲温度のときに１７０ＭＨｚのＲＦ信号を印加した場合の選択波長が１５５０ｎｍであったＡＯＴＦが、周囲温度が３５℃のときには、同じ１７０ＭＨｚで１５５８ｎｍを選択するようなことがある。このように、温度によってＡＯＴＦに印加すべきＲＦ信号の最適周波数が異なるため、ＡＯＴＦでＷＤＭ信号から任意の１波を選択するときに誤って別の信号光を選択してしまい、前述したトラッキング制御によってその誤った信号光を選択し続けてしまうことがある。
【００１７】
また、ＷＤＭ信号の波長帯域がいわゆるＣバンド（Ｃｅｎｔｅｒ  ｗａｖｅｌｅｎｇｔｈ  ｂａｎｄ：実際の数値としては様々な定義があるが、約１５２５ｎｍ〜１５６５ｎｍの帯域）と称される連続した第一の集合帯域のみ、若しくはＬバンド（Ｌｏｎｇ  ｗａｖｅｌｅｎｇｔｈ  ｂａｎｄ：同じく実際の数値としては様々な定義があるが、約１５７０ｎｍ〜１６１０ｎｍ）と称される第一の集合帯域よりも波長の長い連続した波長帯域である第二の集合帯域のみなどといった各々４０ｎｍ程度の帯域であれば、ＯＡＤＭの動作環境におけるその帯域内の所定の光信号の波長を透過させるためにＡＯＴＦに印加すべきＲＦ信号の最適周波数を実測により求め、その検出結果から補間等の計算によりその帯域内の他の光信号の波長を透過させるためのＲＦ信号の最適周波数を算出し、この算出された周波数を印加して所望の信号光を選択した後に前述したトラッキング制御を開始するということも可能ではある。
【００１８】
しかしながら、例えば、前述したＣバンドとＬバンドの両方、すなわち１５２５ｎｍ〜１６１０ｎｍまでの８５ｎｍの帯域からの信号光の選択を１台の光チューナブルフィルタで行う場合には、上述方法では波長選択ミスが生じる可能性がある。
【００１９】
具体的に説明すると，例えば１００ＧＨｚ間隔で並んだＷＤＭ信号から任意の一波の信号光の選択にＡＯＴＦに行わせるときに、選択する信号光を隣接したチャネルの信号光に変更するためには印加するＲＦ信号の周波数を１００ｋＨｚ程度変化させればよい。例えば、今、チャネル１０の信号光を選択するためには１７０．０ＭＨｚのＲＦ信号をＡＯＴＦに印加することが必要であった場合に、チャネル１０から１００ＧＨｚずれた隣接のチャネルであるチャネル１１を選択するためには１６９．９ＭＨｚのＲＦ信号の印加が必要となる。
【００２０】
つまりＣバンドのみ、若しくはＬバンドのみの信号光を含んでいるＷＤＭ信号において、波長間隔０．８ｎｍ（周波数間隔１００ＧＨｚ）の信号光である全４４チャネルを一波ずつ選択するために印加すべきＲＦ信号の周波数の変化幅は、
（４４−１）×１００ｋＨｚ＝４．３ＭＨｚ
となる。
【００２１】
実際に隣接チャネルを選択しないようにＡＯＴＦを制御するためにはＲＦ信号の最適周波数を±４０ｋＨｚ程度の精度で求める必要があるため、許容される誤差は４０ｋＨｚ／４．３ＭＨｚ＝０．９３％となり、最適周波数を約±１％の誤差で求めなければならない。前述したＡＯＴＦに印加すべきＲＦ信号の最適周波数を計算により求める手法では、この精度を得ることは可能ではあるもののほぼ限界の値である。
【００２２】
ところが，Ｃバンド及びＬバンド両帯域から信号光の選択を行うＡＯＴＦの場合では、８５ｎｍもの帯域に対して０．８ｎｍ間隔で信号光が並んでいるため、この帯域から一波ずつ信号光を選択するために印加すべきＲＦ信号の周波数の変化幅は、
８５／０．８×１００ｋＨｚ＝約１０．６ＭＨｚ
となり、±４０ｋＨｚ程度の精度で最初に印加するＲＦ信号の周波数を決定するときに許容される誤差は４０ｋＨｚ／１０．６ＭＨｚ＝０．３８％となる。つまり、最初に印加するＲＦ信号周波数は約±０．４％の誤差で得られるようにしなければならず、前述したＡＯＴＦに印加すべきＲＦ信号の最適周波数を計算により求める手法では、この精度を得ることは極めて困難である。
【００２３】
以上の問題を鑑み、本発明が解決しようとする課題は、光チューナブルフィルタを使用して波長分割多重信号から所望の信号光を抽出するときに、所望のものとは異なる信号が誤抽出されないように光チューナブルフィルタを制御する手法を提供することである。
【００２４】
【課題を解決するための手段】
本発明の第一の態様である光伝送装置は、波長分割多重（ＷＤＭ）方式で多重化されている信号光から特定の波長の信号光を透過して抽出し、制御信号に応じて透過波長特性が変化する光チューナブルフィルタと、前記光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の山の頂点を有し、且つ、該山の頂点から該第一集合帯域よりも短波長側へ向けて及び該山の頂点から該第二集合帯域よりも長波長側へ向けて各々直線状に透過特性が低下する透過波長特性を有する該光透過フィルタと、前記光透過フィルタを透過した透過光に基づいて、所定の波長の信号光を前記光チューナブルフィルタに抽出させるための前記制御信号を生成する制御信号生成手段と、を有するように構成することによって前述した課題を解決する。
【００２５】
なお、ここで、前記第一集合帯域は、例えば１５２５ｎｍから１５６５ｎｍまでの範囲の波長帯域であり、前記第二集合帯域は、例えば、１５７０ｎｍから１６１０ｎｍまでの範囲の波長帯域であり、前記透過特性の山の頂点は、例えば、１５６５ｎｍから１５７０ｎｍまでの範囲の波長帯域内に存在するようにすることができる。
【００２６】
上述した構成においては光透過フィルタの透過波長特性は既知であるので、光チューナブルフィルタで適切に抽出された所望の信号光が光透過フィルタを透過した後に検出される光の強度は予め判明している。そこで、制御信号生成手段が生成する制御信号を変化させることによって光チューナブルフィルタの透過波長特性を変化させる。この透過波長特性を変化させる過程において光透過フィルタ透過後の信号光の強度がその所定値となれば、そのときの制御信号が所望の信号光を抽出するための制御信号となる。その後はこの制御信号を光チューナブルフィルタに印加することにより、所望の信号光を抽出することができる。
【００２７】
しかも、この構成における光透過フィルタは上述した透過波長特性を有しているので、所望の信号光が第一、第二のうちのどちらの集合帯域に属しているのかを制御信号生成手段が判定することによって、信号光の強度と上述した所定値との一致を見出すために変化させる制御信号の変化幅を狭くすることができる。このように制御信号の変化幅が狭くなることによって、所望の信号光を抽出するための制御信号の決定の精度の向上や、所望の信号光を抽出するための制御信号の決定に要する時間の短縮といった効果が得られる。
【００２８】
なお、上述した本発明に係る光伝送装置において、前記光透過フィルタは、前記光チューナブルフィルタに入力される前記多重化されている信号光が存在し得る波長帯域外の帯域の信号を遮断する透過波長特性を更に有するようにしてもよい。
【００２９】
こうすることにより、例えばリング構成のネットワークに存在する各増幅器が発生させて累積されてしまう自然光雑音であるＡＳＥ（Ａｍｐｌｉｆｉｅｄ  Ｓｐｏｎｔａｎｅｏｓ  Ｅｍｉｓｓｉｏｎ  ）ノイズなどが光透過フィルタで遮断されるので、このようなノイズに起因して所望の信号光を抽出するための制御信号の決定を誤ってしまうような誤動作が防止される。
【００３０】
また、前述した本発明に係る光伝送装置において、前記光透過フィルタを透過した透過光の光の強度を検出する第一光強度検出手段と、前記光透過フィルタの透過波長特性を示す情報が格納されている格納手段と、を更に有し、前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成するように構成してもよい。
【００３１】
この構成によれば、制御信号生成手段が、光チューナブルフィルタ及び光透過フィルタを透過した後の所望の信号光の強度を第一光強度検出手段から得ることができ、更に格納手段に格納されている情報より光透過フィルタの透過波長特性を得ることができるので、前述したようにすることによって所望の信号光を抽出するための制御信号を求めることができ、その後はこの制御信号を光チューナブルフィルタに印加することにより、所望の信号光を抽出することができるようになる。
【００３２】
なお、この構成において、前記光チューナブルフィルタを透過した光の強度を検出する第二光強度検出手段を更に有し、前記制御信号生成手段は、前記多重化された信号光の全てが含まれる波長帯域の全体で前記光チューナブルフィルタの透過波長特性を走査させたときに該走査に応じて前記第一光強度検出手段及び第二光強度検出手段の各々によって得られる光の強度と、前記格納手段に格納されている情報とに基づいて前記制御信号を生成するように構成してもよい。
【００３３】
この構成によれば、第一光強度検出手段によって得られる光の強度を第二光強度検出手段の各々によって得られる光の強度によって規格化したものを格納手段に格納されている情報と比較することによって、光チューナブルフィルタに入力されるＷＤＭ信号中の信号光の光パワー値が変動しているような場合であっても所望の信号光を抽出するための制御信号を適切に求めることができるので、その後はこの制御信号を光チューナブルフィルタに印加することによって所望の信号光を抽出することができるようになる。
【００３４】
また、前述した本発明に係る光伝送装置において、前記光透過フィルタを透過した透過光の光の強度を検出する第一光強度検出手段と、前記光透過フィルタへの信号光の入力に応じて該光透過フィルタから取り出される反射光であって、前記光透過フィルタを透過した透過光に与えられる透過波長特性とは逆の特性である反射特性が与えられている該反射光の光の強度を検出する第三光強度検出手段と、を更に有し、前記制御信号生成手段は、前記第一光強度検出手段と前記第三光強度検出手段との各々で検出された光の強度に基づいて前記制御信号を生成するように構成してもよい。
【００３５】
この構成によれば、第一光強度検出手段と第三光強度検出手段との各々で検出された光の強度の両方を利用して制御信号の生成を行うので、両者のうちの一方のみを利用する場合よりも強度の変化幅を広く利用することができる。従って、所望の信号光の抽出を光チューナブルフィルタに行わせるときに印加すべき制御信号の設定の精度を高めることができる。
【００３６】
なお、この構成で所望の信号光を抽出するためには、例えば、前記光透過フィルタの透過波長特性と該光透過フィルタについての前記反射特性との波長毎の差の特性を示す情報が格納されている格納手段を更に有し、前記制御信号生成手段は、前記第一光強度検出手段と第三光強度検出手段との各々で検出された光の強度の差と、前記格納手段に格納されている情報とに基づいて前記制御信号を生成するようにすればよい。
【００３７】
本発明の第二の態様である光伝送装置は、波長分割多重（ＷＤＭ）方式で多重化されている信号光から特定の波長の信号光を透過して抽出し、制御信号に応じて透過波長特性が変化する光チューナブルフィルタと、前記光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の谷の頂点を有し、且つ、該谷の頂点から該第一集合帯域よりも短波長側へ向けて及び該谷の頂点から該第二集合帯域よりも長波長側へ向けて各々直線状に透過特性が上昇する透過波長特性を有する該光透過フィルタと、前記光フィルタを透過した信号光に基づいて、所定の波長の信号光を前記光チューナブルフィルタに抽出させるための前記制御信号を生成する制御信号生成手段と、を有するように構成することによって前述した課題を解決する。
【００３８】
この構成は前述した構成とは光透過フィルタの透過波長特性が異なっているのであるが、この構成であっても、前述した構成と同様の作用を生ずるので、所望の信号光を抽出することができる。しかも、所望の信号光が第一、第二のうちのどちらの集合帯域に属しているのかを制御信号生成手段が判定することによって、信号光の強度と上述した所定値との一致を見出すために変化させる制御信号の変化幅を狭くすることができるので、所望の信号光を抽出するための制御信号の決定の精度の向上や、所望の信号光を抽出するための制御信号の決定に要する時間の短縮といった効果が得られる。
【００３９】
また、本発明の第三の態様である光伝送装置は、波長分割多重（ＷＤＭ）方式で多重化されている信号光から特定の波長の信号光を透過して抽出し、制御信号に応じて透過波長特性が変化する光チューナブルフィルタと、前記光チューナブルフィルタによって抽出された信号光が入力される光透過フィルタであって、波長帯域において連続している第一集合帯域における中央の波長と該第一集合帯域よりも波長の長い波長帯域であって連続している第二集合帯域における中央の波長とにおいて透過特性の山の頂点を有し、且つ、該山の頂点の各々から該第一集合帯域と該第二集合帯域との間の波長へ向けて、該第一集合帯域の中央の波長での該山の頂点から短波長側へ向けて、及び該第二集合帯域の中央の波長での該山の頂点から長波長側へ向けて各々直線状に透過特性が低下する透過波長特性を有する該光透過フィルタと、前記光透過フィルタを透過した透過光に基づいて、所定の波長の信号光を前記光チューナブルフィルタに抽出させるための前記制御信号を生成する制御信号生成手段と、を有するように構成することによって前述した課題を解決する。
【００４０】
この構成は前述した構成とは光透過フィルタの透過波長特性が異なっているのであるが、この構成であっても、前述した構成と同様の作用を生ずるので、所望の信号光を抽出することができる。しかも、所望の信号光が第一、第二のうちのどちらの集合帯域に属しているのか、更にその属している集合帯域のうちの長波長側あるいは短波長側のうちのどちら寄りに存在しているのかを制御信号生成手段が判定することによって、信号光の強度と上述した所定値との一致を見出すために変化させる制御信号の変化幅を更に狭くすることができるので、所望の信号光を抽出するための制御信号の決定の精度の更なる向上や、所望の信号光を抽出するための制御信号の決定に要する時間の更なる短縮といった効果が得られる。
【００４１】
また、本発明の第四の態様である光伝送装置は、波長分割多重（ＷＤＭ）方式で多重化されている信号光から特定の波長の信号光を透過して抽出し、制御信号に応じて透過波長特性が変化する光チューナブルフィルタと、前記光チューナブルフィルタによって抽出された信号光が入力される光透過フィルタであって、波長帯域において連続している第一集合帯域における中央の波長と該第一集合帯域よりも波長の長い波長帯域であって連続している第二集合帯域における中央の波長とにおいて透過特性の谷の頂点を有し、且つ、該谷の頂点の各々から該第一集合帯域と該第二集合帯域との間の波長へ向けて、該第一集合帯域の中央の波長での該谷の頂点から短波長側へ向けて、及び該第二集合帯域の中央の波長での該谷の頂点から長波長側へ向けて各々直線状に透過特性が上昇する透過波長特性を有する該光透過フィルタと、前記光透過フィルタを透過した透過光に基づいて、所定の波長の信号光を前記光チューナブルフィルタに抽出させるための前記制御信号を生成する制御信号生成手段と、を有するように構成することによって前述した課題を解決する。
【００４２】
この構成は前述した構成とは光透過フィルタの透過波長特性が異なっているのであるが、この構成であっても、前述した構成と同様の作用を生ずるので、所望の信号光を抽出することができる。しかも、所望の信号光が第一、第二のうちのどちらの集合帯域に属しているのか、更にその属している集合帯域のうちの長波長側あるいは短波長側のうちのどちら寄りに存在しているのかを制御信号生成手段が判定することによって、信号光の強度と上述した所定値との一致を見出すために変化させる制御信号の変化幅を更に狭くすることができるので、所望の信号光を抽出するための制御信号の決定の精度の更なる向上や、所望の信号光を抽出するための制御信号の決定に要する時間の更なる短縮といった効果が得られる。
【００４３】
なお、前述した本発明の第三若しくは第四の態様である光伝送装置の構成においては、前記光透過フィルタを透過した透過光の光の強度を検出する第一光強度検出手段と、前記光透過フィルタの透過波長特性を示す情報が格納されている格納手段と、を更に有し、前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成するように構成してもよい。
【００４４】
この構成によれば、制御信号生成手段が、光チューナブルフィルタ及び光透過フィルタを透過した後の所望の信号光の強度を第一光強度検出手段から得ることができ、更に格納手段に格納されている情報より光透過フィルタの透過波長特性を得ることができるので、前述したようにすることによって所望の信号光を抽出するための制御信号を求めることができ、その後はこの制御信号を光チューナブルフィルタに印加することにより、所望の信号光を抽出することができるようになる。
【００４５】
また、前述した本発明の第一の態様である光伝送装置の構成において、前記光透過フィルタは、前記第一集合帯域と該第一集合帯域よりも波長の短い波長帯域であって連続している第三集合帯域との間の波長において透過特性の谷の頂点を有し、該谷の頂点から該第一集合帯域と前記第二集合帯域との間の波長における透過特性の山の頂点へ向けて、及び該谷の頂点から該第三集合帯域よりも短波長側へ向けて各々直線状に透過特性が上昇する透過波長特性を更に有するようにしてもよい。
【００４６】
なお、ここで、前記第一集合帯域は、例えば、１５２５ｎｍから１５６５ｎｍまでの範囲の波長帯域であり、前記第二集合帯域は、例えば、１５７０ｎｍから１６１０ｎｍまでの範囲の波長帯域であり、前記第三集合帯域は、例えば、１４８０ｎｍから１５２０ｎｍまでの範囲の波長帯域であり、前記第一集合帯域と前記第二集合帯域との間の波長における透過特性の山の頂点は、例えば、１５６５ｎｍから１５７０ｎｍまでの範囲の波長帯域内に存在し、前記第一集合帯域と前記第三集合帯域との間の波長における透過特性の谷の頂点は、例えば、１５２０ｎｍから１５２５ｎｍまでの範囲の波長帯域内に存在するようにしてもよい。
【００４７】
この構成は前述した構成とは光透過フィルタの透過波長特性が異なっているのであるが、この構成であっても、前述した構成と同様の作用を生ずるので、所望の信号光を抽出することができる。しかも、所望の信号光が第一、第二、若しくは第三のうちのどちらの集合帯域に属しているのかを制御信号生成手段が判定することによって、より広範な波長帯域の信号光が多重化されてなるＷＤＭ信号が入力されても、所望の信号光を抽出することができる。
【００４８】
また、前述した本発明の第二の態様である光伝送装置の構成において、前記光透過フィルタは、前記第一集合帯域と該第一集合帯域よりも波長の短い波長帯域であって連続している第三集合帯域との間の波長において透過特性の山の頂点を有し、該山の頂点から該第一集合帯域と前記第二集合帯域との間の波長における透過特性の谷の頂点へ向けて、及び該山の頂点から該第三集合帯域よりも短波長側へ向けて各々直線状に透過特性が低下する透過波長特性を更に有するように構成してもよい。
【００４９】
この構成は前述した構成とは光透過フィルタの透過波長特性が異なっているのであるが、この構成であっても、前述した構成と同様の作用を生ずるので、所望の信号光を抽出することができる。しかも、所望の信号光が第一、第二、若しくは第三のうちのどちらの集合帯域に属しているのかを制御信号生成手段が判定することによって、より広範な波長帯域の信号光が多重化されてなるＷＤＭ信号が入力されても、所望の信号光を抽出することができる。
【００５０】
なお、この構成において、前記光透過フィルタを透過した透過光の光の強度を検出する第一光強度検出手段と、前記光透過フィルタの透過波長特性を示す情報が格納されている格納手段と、を更に有し、前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成するようにしてもよい。
【００５１】
この構成によれば、制御信号生成手段が、光チューナブルフィルタ及び光透過フィルタを透過した後の所望の信号光の強度を第一光強度検出手段から得ることができ、更に格納手段に格納されている情報より光透過フィルタの透過波長特性を得ることができるので、前述したようにすることによって所望の信号光を抽出するための制御信号を求めることができ、その後はこの制御信号を光チューナブルフィルタに印加することにより、所望の信号光を抽出することができるようになる。
【００５２】
更に、この構成において、前記光チューナブルフィルタを透過した光の強度を検出する第二光強度検出手段を更に有し前記制御信号生成手段は、前記多重化された信号光の全てが含まれる波長帯域の全体で前記光チューナブルフィルタの透過波長特性を走査させたときに該走査に応じて前記第一光強度検出手段及び第二光強度検出手段の各々によって得られる光の強度と、前記格納手段に格納されている情報とに基づいて前記制御信号を生成するようにしてもよい。
【００５３】
この構成によれば、第一光強度検出手段によって得られる光の強度を第二光強度検出手段の各々によって得られる光の強度によって規格化したものを格納手段に格納されている情報と比較することによって、光チューナブルフィルタに入力されるＷＤＭ信号中の信号光の光パワー値が変動しているような場合であっても所望の信号光を抽出するための制御信号を適切に求めることができるので、その後はこの制御信号を光チューナブルフィルタに印加することによって所望の信号光を抽出することができるようになる。
【００５４】
また、本発明の第五の態様である光伝送装置は、波長分割多重（ＷＤＭ）方式で多重化されている信号光から特定の波長の信号光を透過して抽出し、制御信号に応じて透過波長特性が変化する光チューナブルフィルタと、前記光チューナブルフィルタによって抽出された信号光が入力される光透過フィルタであって、波長帯域において連続している第一集合帯域と該第一集合帯域よりも波長の長い波長帯域であって連続している第二集合帯域との範囲に渡って透過特性が単調な変化を呈している透過波長特性を有する該光透過フィルタと、前記光透過フィルタを透過した透過光に基づいて、所定の波長の信号光を前記光チューナブルフィルタに抽出させるための前記制御信号を生成する制御信号生成手段と、を有するように構成することによって前述した課題を解決する。
【００５５】
なお、この構成において、前記光透過フィルタの透過特性が呈している単調な変化の範囲は、少なくとも６０ｎｍ以上の波長の範囲に渡っているようにすることができる。
【００５６】
上述した構成においては光透過フィルタの透過波長特性は既知であるので、光チューナブルフィルタで適切に抽出された所望の信号光が光透過フィルタを透過した後に検出される光の強度は予め判明している。そこで、制御信号生成手段が生成する制御信号を変化させることによって光チューナブルフィルタの透過波長特性を変化させる。この透過波長特性を変化させる過程において光透過フィルタ透過後の信号光の強度がその所定値となれば、そのときの制御信号が所望の信号光を抽出するための制御信号となる。その後はこの制御信号を光チューナブルフィルタに印加することにより、所望の信号光を抽出することができる。
【００５７】
また、本発明の第六の態様である光伝送装置は、波長分割多重（ＷＤＭ）方式で多重化されている信号光であって、波長帯域において連続している第一集合帯域、該第一集合帯域よりも波長の長い波長帯域であって連続している第二集合帯域、及び該第一集合帯域よりも波長の短い波長帯域であって連続している第三集合帯域を使用して多重化されている該信号光から特定の波長の信号光を透過して抽出し、制御信号に応じて透過波長特性が変化する光チューナブルフィルタと、前記光チューナブルフィルタによって抽出された信号光の検出を行う検出手段と、前記光チューナブルフィルタによって抽出された信号光のうち該光チューナブルフィルタに入力された信号光に常に含まれており、一方は前記第一集合帯域と前記第二集合帯域との間の波長であり、他方は該第一集合帯域と前記第三集合帯域との間の波長であることが判明している２つの基準信号光の検出を行う基準信号光検出手段と、前記光チューナブルフィルタに抽出させる信号光の波長が前記第二集合帯域に含まれるものであるときには、前記基準信号光検出手段による検出の結果のうち前記第一集合帯域と該第二集合帯域との間の波長であることが判明している基準信号光についての該結果と前記検出手段による前記信号光の検出の結果とに基づいて前記制御信号を生成し、該光チューナブルフィルタに抽出させる信号光の波長が前記第三集合帯域に含まれるものであるときには、該基準信号光検出手段による検出の結果のうち該第一集合帯域と該第三集合帯域との間の波長であることが判明している基準信号光についての該結果と該検出手段による該信号光の検出の結果とに基づいて該制御信号を生成する制御信号生成手段と、を有するように構成することによって前述した課題を解決する。
【００５８】
この構成によれば、所望の信号光の波長が第一、第二、若しくは第三のいずれの集合帯域に属するものであっても、その属している波長帯域に隣接している基準信号光に基づいて所望の信号光の抽出のための制御信号が決定されるので、この制御信号の決定の正確さの精度が確保される結果、所望のものとは異なる信号が誤抽出されることが防止される。
【００５９】
なお、この構成において、前記制御信号生成手段は、信号光の抽出の指示を受けていないときには、前記基準信号光のうちの一波を任意に選択して該信号光を抽出させるための前記制御信号の生成に必要な処理を行っておき、その後に信号光の抽出の指示を受けたときには、そのときまでに行われていた処理の結果に基づいて該指示に係る信号光を抽出させるための前記制御信号を生成するようにしてもよい。
【００６０】
こうすることにより、一部の信号光についてはその抽出の指示を受けてから所定の制御信号の生成までに要する時間が短縮される。
なお、以上の本発明に係る光伝送装置の各態様において行われている光チューナブルフィルタの制御方法も本発明に係るものであり、それぞれ光伝送装置の各態様によって得られるものと同様の作用・効果を奏する結果、前述した課題が解決される。
【００６１】
【発明の実施の形態】
以下、本発明の実施の形態を図面に基づいて説明する。
まず図１について説明する。同図は本発明を実施するＡＯＴＦを用いたＯＡＤＭの構成を示しており、図２１に示したＯＡＤＭの構成を更に詳細に示したものである。
【００６２】
図１において、ＯＡＤＭ１００に入力されたＷＤＭ信号は増幅器１１によって増幅されてからＣＰＬ１２に入力される。ＣＰＬ１２を通過したＷＤＭ信号はブロッキング部３０に入力されるが、ＣＰＬ１２によって分岐された一部の信号光は増幅器１３によって増幅されてからドロップ部２０に入力される。
【００６３】
ドロップ部２０は、入力されたＷＤＭ信号から所望の波長のチャネルの信号光を一波ずつ抽出する機能を有している。
ドロップ部２０に入力されたＷＤＭ信号はＣＰＬ２１によって複数に分配されてドロップ型ＡＯＴＦ２２に各々入力される。ドロップ型ＡＯＴＦ２２はＷＤＭ信号から所望の波長の信号光を一波ずつ選択して抽出する。従って、ドロップさせたい信号光が複数ある場合にはその数だけドロップ型ＡＯＴＦ２２を設けるようにし、またフォトダイオード２３、制御部２４、及びＲＦ発振器２５についてもその数だけ設けるようにする。抽出された信号光はＯＡＤＭ１００のドロップ出力とされる。
【００６４】
また、ドロップ型ＡＯＴＦ２２によって抽出された信号光は図１には図示されていないＣＰＬによってその一部が分岐され、モニタ光として光検出器であるフォトダイオード２３へと導かれる。フォトダイオード２３はこのモニタ光を光電変換し、モニタ光の光パワー値（光の強度）に対応した信号が制御部２４に入力される。
【００６５】
制御部２４はドロップ型ＡＯＴＦ２２の温度を一定に保つ制御を行うと共に、フォトダイオード２３から得られた信号に基づいて、ＲＦ発振器２５で生成されるＲＦ信号の周波数の制御を行う。
【００６６】
ＲＦ発振器２５は、制御部２４からの情報に基づいた周波数のＲＦ信号を発生させてドロップ型ＡＯＴＦ２２に与え、その所望のチャネルの信号光が良好に透過するようにドロップ型ＡＯＴＦ２２の透過特性を設定する。
【００６７】
一方、ＣＰＬ１２を通過したＷＤＭ信号が入力されるブロッキング部３０は、そのＷＤＭ信号から所望の波長の信号光、通常はドロップ部２０によって抽出された信号光を抑圧して出力する機能を有している。
【００６８】
ブロッキング部３０に入力されたＷＤＭ信号はリジェクション型ＡＯＴＦ３１に入力され、ＷＤＭ信号から所望のチャネルの信号光を抑圧してＣＰＬ４３へ出力する。なお、このリジェクション型ＡＯＴＦ３１は、ＷＤＭ信号から異なる波長の複数の信号光を１台で抑圧できる機能を有しているものとする。
【００６９】
リジェクション型ＡＯＴＦ３１によって抑圧された信号光はモニタ光として光検出器であるフォトダイオード３２へと導かれる。フォトダイオード３２はこのモニタ光を光電変換し、モニタ光の光パワー値に対応した信号が制御部３３に入力される。
【００７０】
制御部３３はリジェクション型ＡＯＴＦ３１の温度を一定に保つ制御を行うと共に、フォトダイオード３２から得られた信号に基づいて、ＲＦ発振器３４で生成されるＲＦ信号の周波数の制御を行う。
【００７１】
ＲＦ発振器３４は、制御部３３からの情報に基づいた周波数のＲＦ信号を発生させてリジェクション型ＡＯＴＦ３１に与え、その所望の信号光が良好に抑圧されるようにリジェクション型ＡＯＴＦ３１の抑圧特性を設定する。
【００７２】
ところで、ネットワークに送り込む信号（ＡＤＤ信号）は、ＯＡＤＭ１００の波長可変ＬＤ（レーザダイオード）４１に入力されて所定の波長の信号光へ変換され、波長の異なる他の信号光とＣＰＬ４２によって多重化される。ＣＰＬ４２によって多重化された信号光はＣＰＬ４３に入力され、ＯＡＤＭ１００へ入力されたＷＤＭ信号のうちブロッキング部３０によって抑圧されずに通過したものと多重化される。ＣＰＬ４３によって多重化されたＷＤＭ信号は増幅器４４によって所定の大きさに増幅された後にＯＡＤＭ１００から送出される。
【００７３】
図１に示したＯＡＤＭ１００は以上のように構成されている。
次に、本発明に係るチューナブルフィルタの制御の手法について説明する。なお、以下の説明では、図１に示したＯＡＤＭ１００のドロップ部２０に設けられている制御部２４によって行われる、一波選択を行うドロップ型ＡＯＴＦ２２の制御の手法について説明する。
［実施例１］
まず図２について説明する。同図は、本発明を実施する光チューナブルフィルタ制御回路の構成の第一の例を示している。この光チューナブルフィルタ制御回路は図１に示したＯＡＤＭ１００のドロップ部２０に設けられる。
【００７４】
図２において、光チューナブルフィルタ５１は入力されたＷＤＭ信号から所望の波長のチャネルの信号光を一波ずつ選択して抽出する波長可変フィルタである。抽出する信号光の選択は制御部５５によって印加される制御信号によって行われ、この制御信号によって光チューナブルフィルタ５１の透過波長特性が変化する。図１に示したＯＡＤＭ１００においてはドロップ型ＡＯＴＦ２２が相当する。
【００７５】
なお、以下の説明では、光チューナブルフィルタ５１に印加する制御信号はＲＦ信号であり、このＲＦ信号の周波数を変化させることによって光チューナブルフィルタ５１を透過することのできる信号光の波長を変化させることができるものとする。
【００７６】
光カプラ５２は光チューナブルフィルタ５１によって抽出された信号光を分岐させてその信号光の一部をモニタ光として出力させる。
波長安定化フィルタ５３は、光カプラ５２から出力されるモニタ光が入力される光透過フィルタである。この波長安定化フィルタ５３の透過波長特性については後述する。
【００７７】
光検出器５４−１及び５４−１はそれぞれ光カプラ５２から直接に出力され、あるいは波長安定化フィルタ５３を透過して出力されるモニタ光の光パワー値を検出し、光チューナブルフィルタ５１によって抽出された信号光の大きさに対応した情報を出力するものであり、図１に示したＯＡＤＭ１００においてはフォトダイオード２３が相当する。
【００７８】
制御部５５は、ＣＰＵ（中央処理装置）、後述する選択処理を含む各種の制御処理をこのＣＰＵに行わせるための制御プログラムが予め格納されているメモリ、及び光チューナブルフィルタ５１に印加する制御信号をＣＰＵからの指示に応じて発生させる制御信号発生回路とを有している。図１に示したＯＡＤＭ１００においては制御部２４とＲＦ発振器２５とがこの制御部５５に相当する。
【００７９】
不揮発メモリ５６には波長安定化フィルタ５３の透過波長特性に関するデータが格納されており、このデータは制御部５５のＣＰＵによって読み出される。このデータの詳細については後述する。
【００８０】
以下、図２に示した光チューナブルフィルタ制御回路の構成を用いて、ＷＤＭ信号から任意の１波を適切に選択する手法について説明する。
まず図３について説明する。同図は、図２に示した波長安定化フィルタ５３の透過波長特性の第一の例を示している。
【００８１】
現在、市場で流通しているＷＤＭ信号用の波長メータや波長ロッカは、入力信号光の波長に応じた電圧値を出力するという、あたかも図２における波長安定化フィルタ５３と光検出器５４−２とを組み合わせたような入出力特性を呈する製品である。このような製品には入力信号光の波長の変化に対する出力電圧の変化が直線状となる特性を有しているものがあるが、このようなものは入力光の波長がＣバンドのみの範囲あるいはＬバンドのみの範囲という狭い帯域でしかこの一時関数的な特性を満たすことができない。
【００８２】
そこで、ここでは、図３に示すように、波長安定化フィルタ５３が、ＣバンドとＬバンドとの間の波長において透過特性の山の頂点を有し、且つ、その山の頂点からＣバンドよりも短波長側へ向けて及びその山の頂点からＬバンドよりも長波長側へ向けて各々直線に透過特性が低下する、凸形状の透過波長特性を持たせるようにする。
【００８３】
なお、このような特性は、例えば前述した製品のうちＣバンド用のものとＬバンド用のものとを組み合わせることによっても容易に得ることができる。
なお、この波長安定化フィルタ５３に持たせる透過波長特性の傾斜は、Ｃバンド内及びＬバンド内の各々において直線であることが望ましいが、波長と光パワーとの関係の単調性が確保されるのであれば厳密に直線でなくてもよい。従って、この特性を得るフィルタとしては、例えばエタロン（ｅｔｈａｌｏｎ  ）フィルタや誘電体多層膜フィルタが利用可能である。
【００８４】
また、図３に示した透過波長特性の山の頂点は、Ｃバンドの波長帯域が１５２５ｎｍ〜１５６５ｎｍ程度であり、Ｌバンドの波長帯域が１５７０ｎｍ〜１６１０ｎｍ程度であることから、これらの間の帯域である１５６５ｎｍ〜１５７０ｎｍの範囲内に位置することが望ましい。
【００８５】
ＣバンドとＬバンドとの各々に各チャネルの信号光が含まれているＷＤＭ信号を図３に示した透過波長特性を有する波長安定化フィルタ５３に入力したときの透過後の光スペクトルを図４に示す。この図４を参照すると分かるように、この光スペクトルは、Ｃバンドにおいては透過した各チャネルの信号光の光パワーが短波長側（１５２５ｎｍ付近）から長波長側（１５７５ｎｍ付近）に向かって徐々に増加しており、その一方、Ｌバンドにおいては透過した各チャネルの信号光の光パワーが短波長側（１５７０ｎｍ付近）から長波長側（１６１０ｎｍ付近）に向かって徐々に減少する特性となっている。このようなフィルタを用いることにより、現在でも市場で流通している、ＣバンドからＬバンドまでの全体を直線的な傾斜でカバーするようなフィルタを用いる場合に比べて、２倍の波長検出精度を持つことが可能となる。
【００８６】
なお、図３に示すように、波長安定化フィルタ５３に、Ｃバンドよりも短波長側及びＬバンドよりも長波長側の信号光は遮断する特性を持たせるようにすることができる。こうすることにより、図３に示されているような、リング構成のネットワークに存在する各増幅器が発生させて累積されてしまう自然光雑音であるＡＳＥ（Ａｍｐｌｉｆｉｅｄ  Ｓｐｏｎｔａｎｅｏｓ  Ｅｍｉｓｓｉｏｎ  ）ノイズが波長安定化フィルタ５３で遮断されるので、後述する制御処理を制御部５５に行わせてＷＤＭ信号から任意の１波の選択を光チューナブルフィルタ５１に行わせるときに、光チューナブルフィルタ５１がＷＤＭ信号であると誤って選択してしまうような誤動作が防止される。
【００８７】
次に、図２の制御部５５によって行われる制御処理の詳細について説明する。図５は、ＷＤＭ信号から所望のチャネルの信号光を選択させるために制御部５５によって光チューナブルフィルタ５１に対して行われる選択処理の処理内容の第一の例をフローチャートで示した図である。この選択処理は、図２の制御部５５が有しているＣＰＵが前述した制御プロプログラムを実行することによって実現される。
【００８８】
なお、この図５の処理は、図２に示されている光チューナブルフィルタ制御回路に対し電源が投入されたとき、あるいは特定のチャネルの信号光の選択の指示がされていない、いわゆる待ち受けの状態にこの光チューナブルフィルタ制御回路が置かれたときに開始される。
【００８９】
図５において、まず、Ｓ１０１では、光チューナブルフィルタ５１に印加するＲＦ信号の周波数を連続的に変化させて信号光選択の対象とする波長帯域の全体、ここではＣバンドとＬバンドの全体に渡って光チューナブルフィルタ５１の透過波長特性をスキャン（走査）させる。そして、このスキャンをさせているときに光検出器５４−２によって検出される、波長安定化フィルタ５３を透過したモニタ光の光パワー値を取得する。
【００９０】
なお、このときの変化させるＲＦ信号の周波数は、図６に示す（Ａ）から（Ｂ）に向いている矢印のように、光チューナブルフィルタ５１に入力されるＷＤＭ信号の波長帯域外であるＣバンドの更に短波長側から、同じく波長帯域外であるＬバンドの更に長波長側に向けて光チューナブルフィルタ５１の透過波長特性がスキャンされるように変化させる。
【００９１】
このＳ１０１の処理によって検出されるモニタ光のパワー値から、図４に示したような光スペクトル分布が得られる。
続くＳ１０２では、このスペクトルから、ＣバンドとＬバンドの両波長帯域のそれぞれにおいて光パワー値が最大となっているスペクトルの頂点を検出する処理が行われる。
【００９２】
Ｓ１０３では、Ｓ１０１の処理によって得られる光チューナブルフィルタ５１に印加するＲＦ信号の周波数と波長安定化フィルタ５３を透過したモニタ光の光パワー値との関係から、Ｓ１０２の処理によって検出された各波長帯域におけるスペクトルの頂点に当たる信号光を光チューナブルフィルタ５１が透過させたときに光チューナブルフィルタ５１に印加していたＲＦ信号の周波数を取得する。そして、各波長帯域におけるスペクトルの頂点に各々対応するＲＦ信号の周波数の中間の周波数（２つの周波数を加算平均した周波数）を算出し、この周波数をｆ０とする。
【００９３】
このようにして算出された周波数ｆ０は、図６に示されているように、波長安定化フィルタ５３の透過波長特性の山の頂点となる、ＣバンドとＬバンドとの中間の波長の信号光を光チューナブルフィルタ５１に透過させるために印加すべきＲＦ信号の周波数となる。
【００９４】
Ｓ１０４では、特定のチャネルの信号光の選択の要求を取得したか否かが判定され、この要求が取得されるまでこのＳ１０４の判定処理が繰り返される。ここで、この上述した要求が取得されたときにはＳ１０５へ処理が進む。
【００９５】
Ｓ１０５では、選択要求されたチャネルの属する帯域がＣバンドであるかＬバンドであるかを識別する。
Ｓ１０６では、不揮発メモリ５６に格納されているデータが参照される。
【００９６】
ここで図７について説明する。同図は不揮発メモリ５６に格納されているデータ例を示している。
このデータ例のうち、チャネルを識別する番号であるグリッド番号、そのグリッド番号の信号光の周波数が示されているＩＴＵグリッド周波数、及びそのグリッド番号の信号光の波長が示されているＩＴＵグリッド波長についてはＩＴＵ（国際電気通信連合）で規格化された値が格納されている。
【００９７】
また、波長安定化フィルタパワーモニタ値は、ＩＴＵグリッド波長で示されている波長の信号光を波長安定化フィルタ５３に入力したときに波長安定化フィルタ５３から出力される信号光の光パワーを示している。なお、この値は波長安定化フィルタ５３から出力された信号光の光パワー値をそのときに波長安定化フィルタ５３に入力していた信号光の光パワー値で除算することによって得られる規格化値で表されている。
【００９８】
Ｓ１０７では、次のステップで行わせる光チューナブルフィルタ５１の透過波長特性のスキャンの対象とする波長帯域を、Ｓ１０５の処理による識別結果である帯域に限定する。
【００９９】
Ｓ１０８では、光チューナブルフィルタ５１に印加するＲＦ信号の周波数を前に求めたｆ０から変化させることによって、Ｓ１０７の処理によって限定された波長帯域内で光チューナブルフィルタ５１の透過波長特性をスキャンさせる。そして、このスキャンによって、不揮発メモリ５６に格納されているデータに示されている、選択要求されたチャネルについての波長安定化フィルタ５３から出力される信号光の光パワーの規格値と、光検出器５４−２で得られる波長安定化フィルタ５３の透過後のモニタ光の光パワー値を光検出器５４−１で得られる波長安定化フィルタ５３の透過前のモニタ光の光パワー値で除算して得られる規格化値とを一致させる。
【０１００】
このＳ１０８の処理によって、光チューナブルフィルタ５１に印加すべきＲＦ信号の周波数が、選択要求されたチャネルを透過させるための最適な周波数に対して±１０ｋＨｚ程度の誤差で設定される。
【０１０１】
その後、Ｓ１０９の処理では、光検出器５４−１で検出される波長安定化フィルタ５３を透過させていないモニタ光の光パワー値が最大となるようにＲＦ信号の周波数を微小変化させる。この処理によって光検出器５４−１の検出値が最大となったら、所望の信号光を光チューナブルフィルタ５１に選択させるための制御処理は終了し、以降はその周波数でのＲＦ信号の印加を継続させる。
【０１０２】
以上までの処理が選択処理の第一の例である。
なお、上述した処理では波長安定化フィルタ５３の透過後のモニタ光の光パワー値に対して規格化の演算を施していたが、これは光チューナブルフィルタ５１に入力されるＷＤＭ信号中の信号光の光パワー値が変動する場合を考慮したためであり、このような変動が無視できるのであれば、規格化の演算を省略してもよい。
【０１０３】
以下、上述した実施例１の変形例について説明する。
前述した実施例においては、図３に示したように、ＣバンドとＬバンドとの間の波長において透過特性の山の頂点を有し、且つ、その山の頂点からＣバンドよりも短波長側へ向けて及びその山の頂点からＬバンドよりも長波長側へ向けて各々直線に透過特性が低下する、凸形状の透過波長特性を波長安定化フィルタ５３に持たせるようにしていたが、その代わりに、図８に示す透過波長特性のような図３とは反対の特性、すなわち、ＣバンドとＬバンドとの間の波長において透過特性の谷の頂点を有し、且つ、その谷の頂点からＣバンドよりも短波長側へ向けて及びその谷の頂点からＬバンドよりも長波長側へ向けて各々直線に透過特性が上昇する、凹形状の透過波長特性を波長安定化フィルタ５３に持たせるようにしてもよい。
【０１０４】
このような、１５６５ｎｍ〜１５７０ｎｍの波長帯域内で下に凸となる谷の頂点を有する透過波長特性を有する波長安定化フィルタ５３に、ＣバンドとＬバンドとの各々に各チャネルの信号光が含まれているＷＤＭ信号を入力したときの透過後の光スペクトルを図９に示す。
【０１０５】
なお、このような凹形状の透過波長特性を波長安定化フィルタ５３に持たせる場合には、図５に示した選択処理におけるＳ１０２の処理において、ＣバンドとＬバンドの両波長帯域のそれぞれにおいて光パワー値が最小となっているスペクトルの頂点を検出する処理が行われるようにし、続くＳ１０３の処理では、Ｓ１０２の処理によって検出された各波長帯域におけるスペクトルの頂点に各々対応するＲＦ信号の周波数の中間の周波数を算出してこの周波数をｆ０とすれば、所望のチャネルの信号光の選択を光チューナブルフィルタ５１に行わせることができる。
【０１０６】
ところで、波長安定化フィルタ５３として使用されるフィルタには、フィルタを透過した透過光に与えられる特性（透過特性）の逆特性（逆透過特性）が与えられている反射光を出力可能とするように構成できるものがある。このようなフィルタを使用すると、所望のチャネルの信号光の選択を光チューナブルフィルタ５１に行わせるときに印加すべきＲＦ信号の周波数の設定精度を更に高めることができる。この手法について説明する。
【０１０７】
まず図１０について説明する。同図は本発明を実施する光チューナブルフィルタ制御回路の構成の第二の例を示している。この光チューナブルフィルタ制御回路は図１に示したＯＡＤＭ１００のドロップ部２０に設けられる。
【０１０８】
図１０に示す構成は、光カプラ５２から出力されるモニタ光が入力される波長安定化フィルタ５３から上述した反射光が出力可能である点と、この反射光の光パワー値を検出して制御部５５へ通知する光検出器５４−３が設けられている点において、図２に示した第一の例の構成と異なっている。
【０１０９】
この図１０に示す構成においては、制御部５５において下記の計算を行って光パワーの差分値を算出する。
（光パワーの差分値）＝（透過光の光パワー値）−（反射光の光パワー値）
なお、この差分の算出に用いる透過光及び反射光の光パワー値についても、光チューナブルフィルタ５１に入力されるＷＤＭ信号中の信号光の光パワー値が変動する場合を考慮するのであれば、前述したものと同様にして規格化した値を用いることが好ましい。
【０１１０】
このようにして求められる光パワーの差分は、波長安定化フィルタ５３に入力される信号光の波長に対して図１１に示すような特性を呈する。同図からも分かるように、透過光の光パワー値と反射光の光パワー値とから得られるこの差分は、透過光のみ若しくは反射光のみの光パワー値と比較して２倍の変化幅が得られるので、この差分からＷＤＭ信号の光スペクトルから光パワーが最大あるいは最小となる点を検出すればその検出精度は向上する。その結果、所望のチャネルの信号光の選択を光チューナブルフィルタ５１に行わせるときに印加すべきＲＦ信号の周波数の設定精度が高まる。
【０１１１】
なお、この光パワーの差分を利用して所望のチャネルの信号光の選択を光チューナブルフィルタ５１に行わせるためには、前述したグリッド番号に対応付けられて不揮発メモリ５６に格納されている波長安定化フィルタ５３から出力される信号光の光パワー値を、上述したものと同様にして求められる差分値の規格値としておき、制御部５５で行われる図５に示した選択処理のＳ１０８の処理においては、光チューナブルフィルタ５１の透過波長特性をスキャンさせることによって、不揮発メモリ５６に格納されている差分値と前掲した式によって得られる光パワーの差分値とを一致させるようにすればよい。
【０１１２】
また、図２に示す構成における波長安定化フィルタ５３に持たせる透過波長特性を図１２に示すような特性としても所望のチャネルの信号光の選択を光チューナブルフィルタ５１に行わせることができる。この図１２に示す透過波長特性は、Ｃバンドにおける中央の波長とＬバンドにおける中央の波長とにおいて透過特性の山の頂点を有し、且つ、それらの山の頂点の各々からＣバンドとＬバンドとの間の波長へ向けて、Ｃバンドの中央の波長での山の頂点から短波長側へ向けて、及びＬバンドの中央の波長での山の頂点から長波長側へ向けて各々直線状に透過特性が低下する透過波長特性を示している。
【０１１３】
このような透過波長特性を有する波長安定化フィルタ５３に、ＣバンドとＬバンドとの各々に各チャネルの信号光が含まれているＷＤＭ信号を入力したときの透過後の光スペクトルを図１３に示す。
【０１１４】
なお、このような透過波長特性を波長安定化フィルタ５３に持たせる場合には、図５に示した選択処理におけるＳ１０５の処理において、選択要求されたチャネルの属する帯域がＣバンドであるかＬバンドであるかを識別することに加え、その選択要求されたチャネルの属する帯域がＣバンド内若しくはＬバンド内における長波長寄りの帯域に位置しているか短波長寄りの帯域内にあるかを識別し、その後に行われるＳ１０７の処理ではＳ１０８の処理によって行わせる光チューナブルフィルタ５１の透過波長特性のスキャンの対象とする波長帯域を、Ｓ１０５の処理による識別結果である帯域に限定するようにすれば、所望のチャネルの信号光の選択を光チューナブルフィルタ５１に行わせることができる。ここで、選択要求されたチャネルの属する帯域がＣバンド内若しくはＬバンド内における長波長寄りの帯域に位置しているか短波長寄りの帯域内にあるかの識別は、Ｓ１０２によって検出されるＣバンドとＬバンドの両波長帯域のそれぞれにおいて光パワー値が最大となっているスペクトルを基準としたときに、選択要求されたチャネルの波長が長波長寄りの帯域に位置しているか短波長寄りの帯域に位置しているかをそのチャネルが属しているバンド内で判定すればよい。
【０１１５】
こうすることにより、図３や図８に示した透過波長特性を波長安定化フィルタ５３に持たせる場合に比べ、モニタ光の波長の違いに対する検出されるモニタ光の光パワー値の違いが２倍に拡大するので、所望のチャネルの信号光の選択を光チューナブルフィルタ５１に行わせるときに印加すべきＲＦ信号の周波数の設定精度をそれだけ高めることができる。
【０１１６】
なお、図３に示した透過波長特性と図８に示した透過波長特性との関係のように、図１２に示した透過波長特性とは反対の特性、すなわち、Ｃバンドにおける中央の波長とＬバンドにおける中央の波長とにおいて透過特性の谷の頂点を有し、且つ、それらの谷の頂点の各々からＣバンドとＬバンドとの間の波長へ向けて、Ｃバンドの中央の波長での谷の頂点から短波長側へ向けて、及びＬバンドの中央の波長での谷の頂点から長波長側へ向けて各々直線状に透過特性が上昇する透過波長特性を波長安定化フィルタ５３に持たせるようにしても、図８及び図１２の透過波長特性を波長安定化フィルタ５３に持たせるときとの同様の変更を図５の選択処理に対して施すことによって、所望のチャネルの信号光の選択を光チューナブルフィルタ５１に行わせることができる。
【０１１７】
以上までに説明した実施例では、現在ＷＤＭ信号において主に使用されているＣバンドとＬバンドとのみに信号光が存在している場合について説明してきたが、Ｓバンド（Ｓｈｏｒｔ  ｗａｖｅｌｅｎｇｔｈ  ｂａｎｄ  ：実際の数値は様々な定義があるが、約１４８０ｎｍ〜１５２０ｎｍ）と称されるＣバンドよりも波長の短い連続した波長帯域である第三の集合帯域にも更に信号光が存在しているＷＤＭ信号であっても、単一の波長安定化フィルタ５３の透過波長特性でこの３つのバンドの全てをカバーさせるようにして、所望のチャネルの信号光の選択を光チューナブルフィルタ５１に行わせることができる。
【０１１８】
Ｓバンド、Ｃバンド、及びＬバンドの３つの波長帯域をカバーさせる透過波長特性の例を図１４に示す。この図１４に示す特性は、図３に示した特性に加え、更にＣバンドとＳバンドとの間の波長において透過特性の谷の頂点を有し、この谷の頂点からＣバンドとＬバンドとの間の波長における透過特性の山の頂点へ向けて、及びこの谷の頂点からＳバンドよりも短波長側へ向けて各々直線状に透過特性が上昇する透過波長特性を有している。
【０１１９】
このような、図３に示した特性に加えて１５２０ｎｍ〜１５２５ｎｍの波長帯域内で下に凸となる谷の頂点を有する透過波長特性を有する波長安定化フィルタ５３に、Ｓバンド、Ｃバンド、及びＬバンドの各々に各チャネルの信号光が含まれているＷＤＭ信号を入力したときの透過後の光スペクトルを図１５に示す。
【０１２０】
なお、このような透過波長特性を図２の構成における波長安定化フィルタ５３に持たせる場合には以下のようにすればよい。
まず、Ｃバンド及びＬバンドに加えてＳバンドにおける波長安定化フィルタ５３の透過波長特性に関するデータを不揮発メモリ５６に格納しておく。
【０１２１】
そして、図５に示した選択処理におけるＳ１０２の処理において、ＣバンドとＬバンドの両波長帯域のそれぞれにおいて光パワー値が最大となっているスペクトルの頂点を検出すると共に、ＣバンドとＳバンドの両波長帯域のそれぞれにおいて光パワー値が最小となっているスペクトルの頂点を検出する処理が行われるようにする。更に、続くＳ１０３の処理において、Ｓ１０２の処理によって検出された各波長帯域におけるスペクトルの頂点のうち、ＣバンドとＬバンドの両波長帯域のそれぞれにおいて光パワー値が最大となっているスペクトルに各々対応するＲＦ信号の周波数の中間の周波数を算出してこの周波数をｆ０とし、ＣバンドとＳバンドの両波長帯域のそれぞれにおいて光パワー値が最小となっているスペクトルに各々対応するＲＦ信号の周波数の中間の周波数を算出してこの周波数をｆ１とする。
【０１２２】
更に、その後のＳ１０５の処理では、選択要求されたチャネルの属する帯域がＳバンド、Ｃバンド、Ｌバンドのうちのいずれであるかを識別し、その後のＳ１０７の処理ではＳ１０８の処理によって行わせる光チューナブルフィルタ５１の透過波長特性のスキャンの対象とする波長帯域を、Ｓ１０５の処理による識別結果である帯域に限定するようにすれば、所望のチャネルの信号光の選択を光チューナブルフィルタ５１に行わせることができる。
【０１２３】
また、図３に示した透過波長特性と図８に示した透過波長特性との関係のように、図１４に示した透過波長特性とは反対の特性、すなわち、図８に示した特性に加え、更にＣバンドとＳバンドとの間の波長において透過特性の山の頂点を有し、この山の頂点からＣバンドとＬバンドとの間の波長における透過特性の谷の頂点へ向けて、及びこの山の頂点からＳバンドよりも短波長側へ向けて各々直線状に透過特性が低下する透過波長特性を図２の構成における波長安定化フィルタ５３に持たせるようにしても、図８及び図１４の透過波長特性を波長安定化フィルタ５３に持たせるときとの同様の変更を図５の選択処理に対して施すことによって、所望のチャネルの信号光の選択を光チューナブルフィルタ５１に行わせることができる。
【０１２４】
以上までに説明した実施例では、光チューナブルフィルタ５１に入力されるＷＤＭ信号において信号光が含まれる波長帯域内で透過波長特性の頂点が存在している波長安定化フィルタ５３を使用していたが、その代わりに、図１６に示す透過波長特性、すなわち、ＷＤＭ信号におけるＣバンド及びＬバンドの波長帯域の全域（少なくとも６０ｎｍ以上の波長帯域）で透過特性の単調な変化を呈する透過波長特性を図２の構成における波長安定化フィルタ５３に持たせるようにしても、所望のチャネルの信号光の選択を光チューナブルフィルタ５１に行わせることができる。この場合には、図５の選択処理にけるＳ１０１からＳ１０３、Ｓ１０５、及びＳ１０７の処理は不要となり、Ｓ１０８では、光チューナブルフィルタ５１に印加するＲＦ信号の周波数を変化させることによってＷＤＭ信号におけるＣバンド及びＬバンドの波長帯域の全域で光チューナブルフィルタ５１の透過波長特性をスキャンさせるようにすればよいので、制御部５５による処理負担が軽減される。
【０１２５】
なお、図１６に示した透過波長特性はＣバンドからＬバンドにかけて透過特性が上昇しているが、この特性と逆の特性、すなわちＣバンドからＬバンドにかけて透過特性が低下する透過波長特性を図２の構成における波長安定化フィルタ５３に持たせるようにしても、上述したものと同様の選択処理を制御部５５が行うことにより、所望のチャネルの信号光の選択を光チューナブルフィルタ５１に行わせることができる。
［実施例２］
次に、所望のチャネルの信号光の選択を光チューナブルフィルタに行わせるための制御の第二の手法について説明する。この手法は、入力されるＷＤＭ信号の波長帯域がＳバンド、Ｃバンド、及びＬバンドの全域に渡っている場合に、その帯域内の所定の光信号の波長を透過させるためにＡＯＴＦに印加すべきＲＦ信号の最適周波数を実測により求め、その検出結果から補間計算によってその帯域内の他の光信号の波長を透過させるためのＲＦ信号の周波数を算出し、算出された周波数のＲＦ信号を光チューナブルフィルタに印加することによって所望のチャネルの信号光を選択するというものである。
【０１２６】
まず、図１７について説明する。同図は、本発明を実施する光チューナブルフィルタ制御回路の構成の第三の例を示している。この光チューナブルフィルタ制御回路は図１に示したＯＡＤＭ１００のドロップ部２０に設けられる。
【０１２７】
図１７に示した構成は、光カプラ５２によって分岐されて出力されるモニタ光のうちの一方が入力されていた波長安定化フィルタ５３及び光検出器５４−２が削除され、その代わりに基準信号光検出部５７が設けられている点と、制御部５５に接続されていた不揮発メモリ５６が削除されている点とを除けば図２に示した構成と同一である。
【０１２８】
基準信号光検出部５７は、光チューナブルフィルタ５１に入力されるＷＤＭ信号に含まれている２つの基準信号光を検出してその光パワー値を表している情報を制御部５５へ出力する。
【０１２９】
ここで図１８について説明する。同図は、図１７に示した光チューナブルフィルタ５１に入力されるＷＤＭ信号のスペクトルを示している。同図に示すように、このＷＤＭ信号には２つの基準信号光が重畳されており、その一方（基準信号光Ａとする）の波長はＳバンドとＣバンドとの間の波長帯域内に配置され、他方（基準信号光Ｂとする）の波長はＣバンドとＬバンドとの間の波長帯域内に配置されている。
【０１３０】
基準信号検出部５７はこの２つの基準信号光の各々の光パワーを検出するものであり、例えばエタロンやＦＢＧ（Ｆｉｂｅｒ  Ｂｒａｇｇ  Ｇｒａｔｉｎｇ  ）を利用した波長ロッカや、スペクトルモニタなど、どのような構成のものでもよく、波長が既知であるそれらの基準信号光が検出できるように設定しておく。
【０１３１】
次に、図１７の制御部５５によって行われる制御処理の詳細について説明する。
図１９は、ＷＤＭ信号から所望のチャネルの信号光を選択させるために制御部５５によって光チューナブルフィルタ５１に対して行われる選択処理の処理内容の第二の例をフローチャートで示した図である。この選択処理は、図１７の制御部５５が有しているＣＰＵが前述した制御プロプログラムを実行することによって実現される。
【０１３２】
なお、この図１９の処理は、図１７に示されている光チューナブルフィルタ制御回路に対し電源が投入されたとき、あるいは特定のチャネルの信号光の選択の指示がされていない、いわゆる待ち受けの状態にこの光チューナブルフィルタ制御回路が置かれたときに開始される。
【０１３３】
まず、Ｓ２０１では、入力されているＷＤＭ信号に含まれている前述した基準信号光Ａが選択され、続くＳ２０２において、光チューナブルフィルタ５１に印加されるＲＦ信号のスキャンを開始させる。ここで、Ｓ２０３において、基準信号光検出部５７によって検出される、光チューナブルフィルタ５１を透過した基準信号光Ａの光パワー値が最大となったときに光チューナブルフィルタ５１に印加していたＲＦ信号の周波数が取得される。
【０１３４】
Ｓ２０４では、特定のチャネルの信号光の選択の要求を取得したか否かが判定され、この要求が取得されるまでこのＳ２０４の判定処理が繰り返される。ここで、この上述した要求が取得されたときにはＳ２０５へ処理が進む。
【０１３５】
Ｓ２０５では、選択要求されたチャネルの属する帯域がＬバンドであるかが判定され、この判定結果がＹｅｓならばＳ２０６に処理が進む。一方、このＳ２０５の判定処理の結果がＮｏ、すなわち選択要求されたチャネルの属する帯域がＳバンド若しくはＣバンドであったときにはＳ２０９に処理が進む。
【０１３６】
Ｓ２０６では、入力されているＷＤＭ信号に含まれている前述した基準信号光Ｂが選択され、続くＳ２０７において、光チューナブルフィルタ５１に印加されるＲＦ信号のスキャンを開始させる。ここで、Ｓ２０８において、基準信号光検出部５７によって検出される、光チューナブルフィルタ５１を透過した基準信号光Ｂの光パワー値が最大となったときに光チューナブルフィルタ５１に印加していたＲＦ信号の周波数が取得される。
Ｓ２０９では、Ｓ２０４の処理によって要求されているチャネルの信号光を選択するために光チューナブルフィルタ５１に印加すべきＲＦ信号の周波数を算出する処理が行われる。
【０１３７】
この算出処理は、Ｓ２０４の処理によって要求されているチャネルがＬバンドに属しているときには、Ｓ２０８の処理によって取得された基準信号Ｂを選択するための最適ＲＦ周波数、Ｓ２０４の処理によって要求されているチャネルがＳバンド若しくはＣバンドに属しているときには、Ｓ２０８の処理によって取得された基準信号Ｂを選択するための最適ＲＦ周波数を用い、更に、制御部５５に予め与えられている、基準信号光Ａ及びＢの波長、Ｓ２０４の処理によって要求されているチャネルの波長、及び光チューナブルフィルタ５１に印加するＲＦ信号の周波数変化と光チューナブルフィルタ５１の透過波長特性の変化との関係とを用いる。なお、このＲＦ信号の周波数変化と透過波長特性の変化とはその変化の割合が一定であるとする。
【０１３８】
この算出処理の具体的な内容について説明すると、まず、基準信号光Ａ又はＢとＳ２０４の処理によって要求されているチャネルとの波長差を求め、この波長差分だけ光チューナブルフィルタ５１の透過波長特性を変化させるためのＲＦ信号の周波数の変化分を単純な比例関係により算出する。そして、基準信号光の選択のためのＲＦ信号の周波数から、このようにして得られたＲＦ信号の周波数の変化分を加減算することにより、要求されているチャネルの信号光を選択するために光チューナブルフィルタ５１に印加すべきＲＦ信号の周波数が算出される。
【０１３９】
Ｓ２１０では、以上のようにして算出された周波数のＲＦ信号の光チューナブルフィルタ５１への印加が行われ、続くＳ２１０では、光検出器５４−１で検出される波長安定化フィルタ５３を透過させていないモニタ光の光パワー値が最大となるようにＲＦ信号の周波数を微小変化させる。この処理によって光検出器５４−１の検出値が最大となったら、所望の信号光を光チューナブルフィルタ５１に選択させるための制御処理は終了し、以降はその周波数でのＲＦ信号の印加を継続させる。
【０１４０】
以上までの処理が選択処理の第二の例である。このようにして光チューナブルフィルタ５１に印加すべきＲＦ信号の周波数の算出を行えば、選択要求されたチャネルがＳバンド、Ｃバンド、Ｌバンドのいずれの波長帯域に属するものであっても、その属している波長帯域に隣接している基準信号光に基づいて光チューナブルフィルタ５１に印加すべき周波数の算出が行われるので、算出される周波数が許容される誤差範囲内に収まる結果、所望のものとは異なる信号が誤抽出されることが防止される。
【０１４１】
なお、図１９に示した選択処理においては、Ｓ２０１からＳ２０３にかけての処理をこの選択処理の開始直後、すなわち図１７に示されている光チューナブルフィルタ制御回路に対し電源が投入されたとき、あるいは特定のチャネルの信号光の選択の指示がされていない、いわゆる待ち受けの状態にこの光チューナブルフィルタ制御回路が置かれたときに実行されるようにしていたが、これらの処理をＳ２０５の判定結果がＮｏとされてからＳ２０９の処理が行われるまでの間で実行するように選択処理の手順を修正しても、所望の信号光を光チューナブルフィルタ５１に選択させることができる。但し、図１９に示した手順の場合の方が、Ｓ２０４の処理によって取得されたチャネルの選択要求の内容がＳチャネル若しくはＣチャネルであった場合における要求チャネル選択完了までの所要時間が短くなるので有益である。
【０１４２】
また、図１９に示した選択処理においては、選択要求されたチャネルがＣバンドに属するものであったときにはＳ２０５の判定結果がＮｏとなり、基準信号光Ａに基づいて光チューナブルフィルタ５１に印加すべき周波数の算出が行われるが、選択要求されたチャネルがＣバンドに属するものであったときの判定結果がＹｅｓとなるようにＳ２０５の判定処理を変更し、基準信号光Ｂに基づいて光チューナブルフィルタ５１に印加すべき周波数の算出が行われるようにしてもよい。
【０１４３】
更に、Ｃバンドに属するチャネルの選択の場合には、基準信号光Ａと基準信号光Ｂとのそれぞれを選択するために最適なＲＦ信号の周波数の取得結果の両方を用い、これら２つの基準信号光の波長とそのときの最適周波数との関係を示す一次関数式を求め、その関数式に選択要求されたチャネルの波長を与えることで光チューナブルフィルタ５１に印加すべき周波数の算出を行うようにしてもよい。
【０１４４】
その他、本発明は、上述した実施形態に限定されることなく、本発明の要旨を逸脱しない範囲内で種々の改良・変更が可能である。
（付記１）  波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の山の頂点を有し、且つ、該山の頂点から該第一集合帯域よりも短波長側へ向けて及び該山の頂点から該第二集合帯域よりも長波長側へ向けて各々直線状に透過特性が低下する透過波長特性を有する該光透過フィルタと、
前記光透過フィルタを透過した透過光に基づいて、所定の波長の信号光を前記光チューナブルフィルタに抽出させるための前記制御信号を生成する制御信号生成手段と、
を有することを特徴とする光伝送装置。
【０１４５】
（付記２）  前記第一集合帯域は、１５２５ｎｍから１５６５ｎｍまでの範囲の波長帯域であり、
前記第二集合帯域は、１５７０ｎｍから１６１０ｎｍまでの範囲の波長帯域であり、
前記透過特性の山の頂点は、１５６５ｎｍから１５７０ｎｍまでの範囲の波長帯域内に存在する、
ことを特徴とする付記１に記載の光伝送装置。
【０１４６】
（付記３）  前記光透過フィルタは、前記光チューナブルフィルタに入力される前記多重化されている信号光が存在し得る波長帯域外の帯域の信号を遮断する透過波長特性を更に有することを特徴する付記１に記載の光伝送装置。
【０１４７】
（付記４）  前記光透過フィルタを透過した透過光の光の強度を検出する第一光強度検出手段と、
前記光透過フィルタの透過波長特性を示す情報が格納されている格納手段と、を更に有し、
前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成する、
ことを特徴とする付記１に記載の光伝送装置。
【０１４８】
（付記５）  前記光チューナブルフィルタを透過した光の強度を検出する第二光強度検出手段を更に有し、
前記制御信号生成手段は、前記多重化された信号光の全てが含まれる波長帯域の全体で前記光チューナブルフィルタの透過波長特性を走査させたときに該走査に応じて前記第一光強度検出手段及び第二光強度検出手段の各々によって得られる光の強度と、前記格納手段に格納されている情報とに基づいて前記制御信号を生成する、
ことを特徴とする付記４に記載の光伝送装置。
【０１４９】
（付記６）  波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の谷の頂点を有し、且つ、該谷の頂点から該第一集合帯域よりも短波長側へ向けて及び該谷の頂点から該第二集合帯域よりも長波長側へ向けて各々直線状に透過特性が上昇する透過波長特性を有する該光透過フィルタと、
前記光フィルタを透過した信号光に基づいて、所定の波長の信号光を前記光チューナブルフィルタに抽出させるための前記制御信号を生成する制御信号生成手段と、
を有することを特徴とする光伝送装置。
【０１５０】
（付記７）  前記光透過フィルタを透過した透過光の光の強度を検出する第一光強度検出手段と、
前記光透過フィルタへの信号光の入力に応じて該光透過フィルタから取り出される反射光であって、前記光透過フィルタを透過した透過光に与えられる透過波長特性とは逆の特性である反射特性が与えられている該反射光の光の強度を検出する第三光強度検出手段と、
を更に有し、
前記制御信号生成手段は、前記第一光強度検出手段と前記第三光強度検出手段との各々で検出された光の強度に基づいて前記制御信号を生成する、
ことを特徴とする付記１に記載の光伝送装置。
【０１５１】
（付記８）  前記光透過フィルタの透過波長特性と該光透過フィルタについての前記反射特性との波長毎の差の特性を示す情報が格納されている格納手段を更に有し、
前記制御信号生成手段は、前記第一光強度検出手段と第三光強度検出手段との各々で検出された光の強度の差と、前記格納手段に格納されている情報とに基づいて前記制御信号を生成する、
ことを特徴とする付記７に記載の光伝送装置。
【０１５２】
（付記９）  波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域における中央の波長と該第一集合帯域よりも波長の長い波長帯域であって連続している第二集合帯域における中央の波長とにおいて透過特性の山の頂点を有し、且つ、該山の頂点の各々から該第一集合帯域と該第二集合帯域との間の波長へ向けて、該第一集合帯域の中央の波長での該山の頂点から短波長側へ向けて、及び該第二集合帯域の中央の波長での該山の頂点から長波長側へ向けて各々直線状に透過特性が低下する透過波長特性を有する該光透過フィルタと、
前記光透過フィルタを透過した透過光に基づいて、所定の波長の信号光を前記光チューナブルフィルタに抽出させるための前記制御信号を生成する制御信号生成手段と、
を有することを特徴とする光伝送装置。
【０１５３】
（付記１０）  波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域における中央の波長と該第一集合帯域よりも波長の長い波長帯域であって連続している第二集合帯域における中央の波長とにおいて透過特性の谷の頂点を有し、且つ、該谷の頂点の各々から該第一集合帯域と該第二集合帯域との間の波長へ向けて、該第一集合帯域の中央の波長での該谷の頂点から短波長側へ向けて、及び該第二集合帯域の中央の波長での該谷の頂点から長波長側へ向けて各々直線状に透過特性が上昇する透過波長特性を有する該光透過フィルタと、
前記光透過フィルタを透過した透過光に基づいて、所定の波長の信号光を前記光チューナブルフィルタに抽出させるための前記制御信号を生成する制御信号生成手段と、
を有することを特徴とする光伝送装置。
【０１５４】
（付記１１）  前記光透過フィルタを透過した透過光の光の強度を検出する第一光強度検出手段と、
前記光透過フィルタの透過波長特性を示す情報が格納されている格納手段と、を更に有し、
前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成する、
ことを特徴とする付記９または１０に記載の光伝送装置。
【０１５５】
（付記１２）  前記光チューナブルフィルタを透過した光の強度を検出する第二光強度検出手段を更に有し
前記制御信号生成手段は、前記多重化された信号光の全てが含まれる波長帯域の全体で前記光チューナブルフィルタの透過波長特性を走査させたときに該走査に応じて前記第一光強度検出手段及び第二光強度検出手段の各々によって得られる光の強度と、前記格納手段に格納されている情報とに基づいて前記制御信号を生成する、
ことを特徴とする付記１１に記載の光伝送装置。
【０１５６】
（付記１３）  前記光透過フィルタは、前記第一集合帯域と該第一集合帯域よりも波長の短い波長帯域であって連続している第三集合帯域との間の波長において透過特性の谷の頂点を有し、該谷の頂点から該第一集合帯域と前記第二集合帯域との間の波長における透過特性の山の頂点へ向けて、及び該谷の頂点から該第三集合帯域よりも短波長側へ向けて各々直線状に透過特性が上昇する透過波長特性を更に有することを特徴とする付記１に記載の光伝送装置。
【０１５７】
（付記１４）  前記第一集合帯域は、１５２５ｎｍから１５６５ｎｍまでの範囲の波長帯域であり、
前記第二集合帯域は、１５７０ｎｍから１６１０ｎｍまでの範囲の波長帯域であり、
前記第三集合帯域は、１４８０ｎｍから１５２０ｎｍまでの範囲の波長帯域であり、
前記第一集合帯域と前記第二集合帯域との間の波長における透過特性の山の頂点は、１５６５ｎｍから１５７０ｎｍまでの範囲の波長帯域内に存在し、
前記第一集合帯域と前記第三集合帯域との間の波長における透過特性の谷の頂点は、１５２０ｎｍから１５２５ｎｍまでの範囲の波長帯域内に存在する、
ことを特徴とする付記１３に記載の光伝送装置。
【０１５８】
（付記１５）  前記光透過フィルタは、前記第一集合帯域と該第一集合帯域よりも波長の短い波長帯域であって連続している第三集合帯域との間の波長において透過特性の山の頂点を有し、該山の頂点から該第一集合帯域と前記第二集合帯域との間の波長における透過特性の谷の頂点へ向けて、及び該山の頂点から該第三集合帯域よりも短波長側へ向けて各々直線状に透過特性が低下する透過波長特性を更に有することを特徴とする付記６に記載の光伝送装置。
【０１５９】
（付記１６）  前記光透過フィルタを透過した透過光の光の強度を検出する第一光強度検出手段と、
前記光透過フィルタの透過波長特性を示す情報が格納されている格納手段と、を更に有し、
前記制御信号生成手段は、前記多重化された信号光の全てが含まれる波長帯域の全体で前記光チューナブルフィルタの透過波長特性を走査させたときに該走査に応じて前記第一光強度検出手段によって得られる光の強度と、前記格納手段に格納されている情報とに基づいて前記制御信号を生成する、
ことを特徴とする付記１３又は１５に記載の光伝送装置。
【０１６０】
（付記１７）  前記光チューナブルフィルタを透過した光の強度を検出する第二光強度検出手段を更に有し
前記制御信号生成手段は、前記多重化された信号光の全てが含まれる波長帯域の全体で前記光チューナブルフィルタの透過波長特性を走査させたときに該走査に応じて前記第一光強度検出手段及び第二光強度検出手段の各々によって得られる光の強度と、前記格納手段に格納されている情報とに基づいて前記制御信号を生成する、
ことを特徴とする付記１６に記載の光伝送装置。
【０１６１】
（付記１８）  波長分割多重（ＷＤＭ）方式で多重化されている信号光から特定の波長の信号光を透過して抽出し、制御信号に応じて透過波長特性が変化する光チューナブルフィルタと、
前記光チューナブルフィルタによって抽出された信号光が入力される光透過フィルタであって、波長帯域において連続している第一集合帯域と該第一集合帯域よりも波長の長い波長帯域であって連続している第二集合帯域との範囲に渡って透過特性が単調な変化を呈している透過波長特性を有する該光透過フィルタと、
前記光透過フィルタを透過した透過光に基づいて、所定の波長の信号光を前記光チューナブルフィルタに抽出させるための前記制御信号を生成する制御信号生成手段と、
を有することを特徴とする光伝送装置。
【０１６２】
（付記１９）  前記光透過フィルタの透過特性が呈している単調な変化の範囲は、少なくとも６０ｎｍ以上の波長の範囲に渡っていることを特徴とする付記１８に記載の光伝送装置。
【０１６３】
（付記２０）  波長分割多重（ＷＤＭ）方式で多重化されている信号光であって、波長帯域において連続している第一集合帯域、該第一集合帯域よりも波長の長い波長帯域であって連続している第二集合帯域、及び該第一集合帯域よりも波長の短い波長帯域であって連続している第三集合帯域を使用して多重化されている該信号光から特定の波長の信号光を透過して抽出し、制御信号に応じて透過波長特性が変化する光チューナブルフィルタと、
前記光チューナブルフィルタによって抽出された信号光の検出を行う検出手段と、
前記光チューナブルフィルタによって抽出された信号光のうち該光チューナブルフィルタに入力された信号光に常に含まれており、一方は前記第一集合帯域と前記第二集合帯域との間の波長であり、他方は該第一集合帯域と前記第三集合帯域との間の波長であることが判明している２つの基準信号光の検出を行う基準信号光検出手段と、
前記光チューナブルフィルタに抽出させる信号光の波長が前記第二集合帯域に含まれるものであるときには、前記基準信号光検出手段による検出の結果のうち前記第一集合帯域と該第二集合帯域との間の波長であることが判明している基準信号光についての該結果と前記検出手段による前記信号光の検出の結果とに基づいて前記制御信号を生成し、該光チューナブルフィルタに抽出させる信号光の波長が前記第三集合帯域に含まれるものであるときには、該基準信号光検出手段による検出の結果のうち該第一集合帯域と該第三集合帯域との間の波長であることが判明している基準信号光についての該結果と該検出手段による該信号光の検出の結果とに基づいて該制御信号を生成する制御信号生成手段と、
を有することを特徴とする光伝送装置。
【０１６４】
（付記２１）  前記制御信号生成手段は、信号光の抽出の指示を受けていないときには、前記基準信号光のうちの一波を任意に選択して該信号光を抽出させるための前記制御信号の生成に必要な処理を行っておき、その後に信号光の抽出の指示を受けたときには、そのときまでに行われていた処理の結果に基づいて該指示に係る信号光を抽出させるための前記制御信号を生成することを特徴とする付記２０に記載の光伝送装置。
【０１６５】
（付記２２）  波長分割多重（ＷＤＭ）方式で多重化されている信号光から特定の波長の信号光を透過して抽出し、制御信号に応じて透過波長特性が変化する光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の山の頂点を有し、且つ、該山の頂点から該第一集合帯域よりも短波長側へ向けて及び該山の頂点から該第二集合帯域よりも長波長側へ向けて各々直線状に透過特性が低下する透過波長特性を有する該光透過フィルタを透過した透過光の検出を行い、
前記検出の結果に基づいて、所定の波長の信号光を前記光チューナブルフィルタに抽出させるための前記制御信号を生成する、
ことを特徴とする光チューナブルフィルタの制御方法。
【０１６６】
（付記２３）  波長分割多重（ＷＤＭ）方式で多重化されている信号光から特定の波長の信号光を透過して抽出し、制御信号に応じて透過波長特性が変化する光チューナブルフィルタによって抽出された信号光が入力される光透過フィルタであって、波長帯域において連続している第一集合帯域と該第一集合帯域よりも波長の長い波長帯域であって連続している第二集合帯域との間の波長において透過特性の谷の頂点を有し、且つ、該谷の頂点から該第一集合帯域よりも短波長側へ向けて及び該谷の頂点から該第二集合帯域よりも長波長側へ向けて各々直線状に透過特性が上昇する透過波長特性を有する該光透過フィルタを透過した透過光の検出を行い、
前記検出の結果に基づいて、所定の波長の信号光を前記光チューナブルフィルタに抽出させるための前記制御信号を生成する、
ことを特徴とする光チューナブルフィルタの制御方法。
【０１６７】
（付記２４）  波長分割多重（ＷＤＭ）方式で多重化されている信号光から特定の波長の信号光を透過して抽出し、制御信号に応じて透過波長特性が変化する光チューナブルフィルタによって抽出された信号光が入力される光透過フィルタであって、波長帯域において連続している第一集合帯域における中央の波長と該第一集合帯域よりも波長の長い波長帯域であって連続している第二集合帯域における中央の波長とにおいて透過特性の山の頂点を有し、且つ、該山の頂点の各々から該第一集合帯域と該第二集合帯域との間の波長へ向けて、該第一集合帯域の中央の波長での該山の頂点から短波長側へ向けて、及び該第二集合帯域の中央の波長での該山の頂点から長波長側へ向けて各々直線状に透過特性が低下する透過波長特性を有する該光透過フィルタを透過した透過光の検出を行い、
前記検出の結果に基づいて、所定の波長の信号光を前記光チューナブルフィルタに抽出させるための前記制御信号を生成する、
ことを特徴とする光チューナブルフィルタの制御方法。
【０１６８】
（付記２５）  波長分割多重（ＷＤＭ）方式で多重化されている信号光から特定の波長の信号光を透過して抽出し、制御信号に応じて透過波長特性が変化する光チューナブルフィルタによって抽出された信号光が入力される光透過フィルタであって、波長帯域において連続している第一集合帯域における中央の波長と該第一集合帯域よりも波長の長い波長帯域であって連続している第二集合帯域における中央の波長とにおいて透過特性の谷の頂点を有し、且つ、該谷の頂点の各々から該第一集合帯域と該第二集合帯域との間の波長へ向けて、該第一集合帯域の中央の波長での該谷の頂点から短波長側へ向けて、及び該第二集合帯域の中央の波長での該谷の頂点から長波長側へ向けて各々直線状に透過特性が上昇する透過波長特性を有する該光透過フィルタを透過した透過光の検出を行い、
前記検出の結果に基づいて、所定の波長の信号光を前記光チューナブルフィルタに抽出させるための前記制御信号を生成する、
ことを特徴とする光チューナブルフィルタの制御方法。
【０１６９】
（付記２６）  波長分割多重（ＷＤＭ）方式で多重化されている信号光から特定の波長の信号光を透過して抽出し、制御信号に応じて透過波長特性が変化する光チューナブルフィルタによって抽出された信号光が入力される光透過フィルタであって、波長帯域において連続している第一集合帯域と該第一集合帯域よりも波長の長い波長帯域であって連続している第二集合帯域との範囲に渡って透過特性が単調な変化を呈している透過波長特性を有する該光透過フィルタを透過した透過光の検出を行い、
前記検出の結果に基づいて、所定の波長の信号光を前記光チューナブルフィルタに抽出させるための前記制御信号を生成する、
ことを特徴とする光チューナブルフィルタの制御方法。
【０１７０】
（付記２７）  波長分割多重（ＷＤＭ）方式で多重化されている信号光であって、波長帯域において連続している第一集合帯域、該第一集合帯域よりも波長の長い波長帯域であって連続している第二集合帯域、及び該第一集合帯域よりも波長の短い波長帯域であって連続している第三集合帯域を使用して多重化されている該信号光から特定の波長の信号光を透過して抽出し、制御信号に応じて透過波長特性が変化する光チューナブルフィルタによって抽出された信号光の検出を行い、
前記光チューナブルフィルタによって抽出された信号光のうち該光チューナブルフィルタに入力された信号光に常に含まれており、一方は前記第一集合帯域と前記第二集合帯域との間の波長であり、他方は該第一集合帯域と前記第三集合帯域との間の波長であることが判明している２つの基準信号光の検出を行い、
前記光チューナブルフィルタに抽出させる信号光の波長が前記第二集合帯域に含まれるものであるときには、前記基準信号光の検出の結果のうち前記第一集合帯域と該第二集合帯域との間の波長であることが判明している基準信号光についての該結果と前記信号光の検出の結果とに基づいて前記制御信号を生成し、該光チューナブルフィルタに抽出させる信号光の波長が前記第三集合帯域に含まれるものであるときには、該基準信号光の検出の結果のうち該第一集合帯域と該第三集合帯域との間の波長であることが判明している基準信号光についての該結果と該信号光の検出の結果とに基づいて該制御信号を生成する、
ことを特徴とする光チューナブルフィルタの制御方法。
【０１７１】
【発明の効果】
以上詳細に説明したように、本発明によれば、光チューナブルフィルタを使用してＷＤＭ信号から所望の信号を抽出するときに、所望のものとは異なる信号が誤抽出されないように光チューナブルフィルタを制御することが可能となる効果を奏する。
【図面の簡単な説明】
【図１】本発明を実施するＡＯＴＦを用いたＯＡＤＭの構成を示す図である。
【図２】本発明を実施する光チューナブルフィルタ制御回路の第一の例を示す図である。
【図３】波長安定化フィルタの透過波長特性の第一の例を示す図である。
【図４】図３に示した特性を有する波長安定化フィルタ透過後のＷＤＭ信号のスペクトルを示す図である。
【図５】選択処理の第一の例の処理内容を示すフローチャートである。
【図６】光チューナブルフィルタの透過波長特性のスキャンを説明する図である。
【図７】不揮発メモリに蓄積してあるデータテーブル例を表で示した図である。
【図８】波長安定化フィルタの透過波長特性の第二の例を示す図である。
【図９】図８に示した特性を有する波長安定化フィルタ透過後のＷＤＭ信号のスペクトルを示す図である。
【図１０】本発明を実施する光チューナブルフィルタ制御回路の第二の例を示す図である。
【図１１】波長安定化フィルタの透過特性と逆透過特性との差分の特性を示す図である。
【図１２】波長安定化フィルタの透過波長特性の第三の例を示す図である。
【図１３】図１２に示した特性を有する波長安定化フィルタ透過後のＷＤＭ信号のスペクトルを示す図である。
【図１４】波長安定化フィルタの透過波長特性の第四の例を示す図である。
【図１５】図１４に示した特性を有する波長安定化フィルタ透過後のＷＤＭ信号のスペクトルを示す図である。
【図１６】波長安定化フィルタの透過波長特性の第五の例を示す図である。
【図１７】本発明を実施する光チューナブルフィルタ制御回路の第三の例を示す図である。
【図１８】図１７の回路に入力されるＷＤＭ信号のスペクトルを示す図である。
【図１９】選択処理の第二の例の処理内容を示すフローチャートである。
【図２０】ＯＡＤＭのネットワーク構成例を示す図である。
【図２１】ＡＯＴＦを用いたＯＡＤＭの構成例を示す図である。
【符号の説明】
１１、１３、４４、２００１、２００４、２００８、２０１０  増幅器
１２、２１、４２、４３、５２、６２、７２、２００２、２００５、  ２００７、２００９  ＣＰＬ（光カプラ）
２０  ドロップ部
２２、２００６  ドロップ型ＡＯＴＦ
２３、３２  フォトダイオード
２４、３３  制御部
２５、３４  ＲＦ発振器
３０  ブロッキング部
３１、２００３  リジェクション型ＡＯＴＦ
４１  波長可変ＬＤ
５１  光チューナブルフィルタ
５３  波長安定化フィルタ
５４−１、５４−２、５４−３  光検出部
５５  制御部
５６  不揮発メモリ
５７  基準信号光検出部
１００  ＯＡＤＭ
１００１  Ａネットワーク
１００２  Ｂネットワーク
２０００  ＡＳＥサプレッションフィルタ
２０１１  制御部（ＭＣ）
２１００、２４００  光スイッチ（ＯＳＷ）
２２００  トランスポンダ
２３００  チューナブルトランスポンダ
３０００  監視制御系
【図１】
2004260747.tif 000003
【図２】
2004260747.tif 000004
【図３】
2004260747.tif 000005
【図４】
2004260747.tif 000006
【図５】
2004260747.tif 000007
【図６】
2004260747.tif 000008
【図７】
2004260747.tif 000009
【図８】
2004260747.tif 000010
【図９】
2004260747.tif 000011
【図１０】
2004260747.tif 000012
【図１１】
2004260747.tif 000013
【図１２】
2004260747.tif 000014
【図１３】
2004260747.tif 000015
【図１４】
2004260747.tif 000016
【図１５】
2004260747.tif 000017
【図１６】
2004260747.tif 000018
【図１７】
2004260747.tif 000019
【図１８】
2004260747.tif 000020
【図１９】
2004260747.tif 000021
【図２０】
2004260747.tif 000022
【図２１】
2004260747.tif 000023